(57)【要約】【課題】並列複パス式のラジエータにおいて、出口／入口タンクの高さを抑えて、ラジエータの全高を低くする。【解決手段】入口タンク４に第１熱交換媒体９を供給する入口パイプ７を形成するとともに、タンクの厚さ方向に貫通する切り欠き部４ａを形成し、また出口タンク６には第１熱交換媒体９を排出する出口パイプ８を切り欠き部１４ａと対向する位置に形成して、出口パイプ８を入口パイプ７と同方向に突出し、切り欠き部４ａ内を通るように配管する。【選択図】      図１
2005077011.tif 000002
【特許請求の範囲】
【請求項１】
所定間隔で１列に配置された複数のチューブからなる第１列チューブ、当該第１列チューブと並列に配置された同一構造の第２列チューブ、前記第１列及び第２列チューブのそれぞれのチューブ間に配置された複数のフィンを有する熱交換器と、当該熱交換器の一端に配置されて前記第１列チューブの一端と連通された入口タンクと、前記熱交換器の一端に配置されて前記第２列チューブの一端と連通された出口タンクと、前記熱交換器の他端に配置されて前記第１及び第２列チューブのそれぞれの他端と連通された中間タンクとを備え、前記入口タンクと前記出口タンクが前記中間タンクに対して等間隔で並列に配置され、第１熱交換媒体が前記入口タンクから前記第１列チューブの各チューブ内を流通して前記中間タンクに流入し、さらに前記第２列チューブの各チューブ内を流通して前記出口タンクに流入するとともに、前記熱交換器の第１及び第２列チューブに対し第２熱交換媒体を流通するように構成されたラジエータにおいて、
前記入口タンクは前記第１熱交換媒体を供給する入口パイプが形成されるとともに、タンクの厚さ方向に貫通する切り欠き部が形成され、前記出口タンクは前記第１熱交換媒体を排出する出口パイプが前記切り欠き部と対向する位置に形成されることを特徴とするラジエータ。
【請求項２】
前記入口タンクは幅方向における一方の端部に前記入口パイプが形成されるとともに、幅方向における他方の端部に前記切り欠き部が形成され、前記出口タンクは前記切り欠き部と対向する位置に前記出口パイプが形成されることを特徴とする請求項１に記載のラジエータ。
【請求項３】
前記入口タンクは幅方向における両端部に前記入口パイプがそれぞれ１つづつ形成されるとともに、中央部に前記切り欠き部が形成され、前記出口タンクは前記切り欠き部と対向する位置に前記出口パイプが形成されることを特徴とする請求項１に記載のラジエータ。
【請求項４】
所定間隔で１列に配置された複数のチューブからなる第１列チューブ、当該第１列チューブと並列に配置された同一構造の第２列チューブ、前記第１列及び第２列チューブのそれぞれのチューブ間に配置された複数のフィンを有する熱交換器と、当該熱交換器の一端に配置されて前記第１列チューブの一端と連通された入口タンクと、前記熱交換器の一端に配置されて前記第２列チューブの一端と連通された出口タンクと、前記熱交換器の他端に配置されて前記第１及び第２列チューブのそれぞれの他端と連通された中間タンクとを備え、前記入口タンクと前記出口タンクが前記中間タンクに対して等間隔で並列に配置され、第１熱交換媒体が前記入口タンクから前記第１列チューブの各チューブ内を流通して前記中間タンクに流入し、さらに前記第２列チューブの各チューブ内を流通して前記出口タンクに流入するとともに、前記熱交換器の第１及び第２列チューブに対し第２熱交換媒体を流通するように構成された第１ラジエータと、前記第１ラジエータと同一構造の第２ラジエータとを上下反転して幅方向に結合したラジエータであって、
前記第１ラジエータの入口タンク及び出口タンクと前記第２ラジエータの中間タンクとの間に第１溝部が形成されるとともに、前記第２ラジエータの入口タンク及び出口タンクと前記第１ラジエータの中間タンクとの間に第２溝部が形成され、
前記第１ラジエータの出口タンクは前記第１熱交換媒体を排出する出口パイプが形成されるとともに、当該出口パイプが前記第１溝部を通して外部へ取り出され、前記第２ラジエータの出口タンクは前記第１熱交換媒体を排出する出口パイプが形成されるとともに、当該出口パイプが前記第２溝部を通して外部へ取り出されることを特徴とするラジエータ。
【請求項５】
前記第１ラジエータの入口タンクに形成された入口パイプと前記出口タンクに形成された出口パイプはともに同方向に取り出され、前記第２ラジエータの入口タンクに形成された入口パイプと前記出口タンクに形成された出口パイプはともに同方向に取り出されることを特徴とする請求項４に記載のラジエータ。
【発明の詳細な説明】
【技術分野】
【０００１】
本発明は主に車両用のラジエータに関し、とくに並列複パス式のラジエータに関する。
【背景技術】
【０００２】
従来の並列複パス式のラジエータとしては、入力タンク部の断面の高さを幅方向の一部で他の部分より著しく高くして、入口側膨張部を形成し、出口タンク部はその入口側膨張部から位置ずれした他部で著しく高くした出口側膨張部が形成され、入口側膨張部に入口側パイプが、また出口側膨張部に出口パイプがそれぞれ同一方向に突出形成した熱交換器がある（例えば、特開２００２−３０３４９８号公報）。
【特許文献１】特開２００２−３０３４９８号公報（第３頁、図１）
【発明の開示】
【発明が解決しようとする課題】
【０００３】
上記従来例の装置では、出口／入口パイプを配管するためのスペースを確保するため、出口／入口タンク部の一部を他の部分より著しく高くし、この部分に出口／入口パイプを取り付けている。このため、出口／入口タンク部の一部を他の部分より著しく高くした分だけ、装置の全高が高くなるという課題があった。
【課題を解決するための手段】
【０００４】
請求項１に係わるラジエータは、所定間隔で１列に配置された複数のチューブからなる入口列チューブ、当該入口列チューブと並列に配置された同一構造の出口列チューブ、前記入口及び出口列チューブのそれぞれのチューブ間に配置された複数のフィンを有するコアと、前記コアの一端に配置されて前記入口列チューブの一端と連通された入口タンクと、前記コアの一端に配置されて前記出口列チューブの一端と連通された出口タンクと、前記コアの他端に配置されて前記第１及び出口列チューブのそれぞれの他端と連通された中間タンクとを備え、前記入口タンクと前記出口タンクが前記中間タンクに対して等間隔で並列に配置され、第１熱交換媒体が前記入口タンクから前記入口列チューブの各チューブ内を流通して前記中間タンクに流入し、さらに前記出口列チューブの各チューブ内を流通して前記出口タンクに流入するとともに、前記コアの第１及び出口列チューブに対し第２熱交換媒体を流通するように構成されたラジエータにおいて、前記入口タンクは前記第１熱交換媒体を供給する入口パイプが形成されるとともに、タンクの厚さ方向に貫通する切り欠き部が形成され、前記出口タンクは前記第１熱交換媒体を排出する出口パイプが前記切り欠き部と対向する位置に形成されることを特徴とする。
【０００５】
請求項４に係わるラジエータは、所定間隔で１列に配置された複数のチューブからなる入口列チューブ、当該入口列チューブと並列に配置された同一構造の出口列チューブ、前記入口列及び出口列チューブのそれぞれのチューブ間に配置された複数のフィンを有するコアと、当該コアの一端に配置されて前記入口列チューブの一端と連通された入口タンクと、前記コアの一端に配置されて前記出口列チューブの一端と連通された出口タンクと、前記コアの他端に配置されて前記入口列及び出口列チューブのそれぞれの他端と連通された中間タンクとを備え、前記入口タンクと前記出口タンクが前記中間タンクに対して等間隔で並列に配置され、第１熱交換媒体が前記入口タンクから前記入口列チューブの各チューブ内を流通して前記中間タンクに流入し、さらに前記出口列チューブの各チューブ内を流通して前記出口タンクに流入するとともに、前記熱交換器の入口列及び出口列チューブに対し第２熱交換媒体を流通するように構成された第１ラジエータと、前記第１ラジエータと同一構造の第２ラジエータとを上下反転して幅方向に結合したラジエータであって、前記第１ラジエータの入口タンク及び出口タンクと前記第２ラジエータの中間タンクとの間に第１溝部が形成されるとともに、前記第２ラジエータの入口タンク及び出口タンクと前記第１ラジエータの中間タンクとの間に第２溝部が形成され、前記第１ラジエータの出口タンクは前記第１熱交換媒体を排出する出口パイプが形成されるとともに、当該出口パイプが前記第１溝部を通して外部へ取り出され、前記第２ラジエータの出口タンクは前記第１熱交換媒体を排出する出口パイプが形成されるとともに、当該出口パイプが前記第２溝部を通して外部へ取り出されることを特徴とするラジエータ。
【発明の効果】
【０００６】
本発明に係わるラジエータによれば、入口タンクに形成した切り欠き部を通じて出口パイプを取り出すようにしたため、入口パイプ又は出口パイプを設けるために、入口タンクや出口タンクの一部を他の部分より著しく高くする必要がなく、ラジエータの全高を低くすることができる。
【発明を実施するための最良の形態】
【０００７】
以下、本発明に係わるラジエータを、車両用の並列複パス式ラジエータに適用した場合の実施の形態を添付の図面を参照しながら説明する。なお、各実施の形態においては、同等部分を同一符号で表記している。
【０００８】
図１は、実施の形態１に係わるラジエータ１００の概略構成図である。ラジエータ１００は大別すると、コア３（熱交換器）と、コア３の上部に配置された入口タンク４及び出口タンク６と、コア３の下部に配置された中間タンク５とから構成されている。
【０００９】
コア３は、所定間隔で１列に配置された複数のチューブ１からなる入口列チューブ１ａ（第１列チューブ）と、同じく所定間隔で１列に配置された複数のチューブ１からなる出口列チューブ１ｂ（第２列チューブ）とを備え、入口列チューブ１ａの隣り合うチューブ間、及び出口列チューブ１ｂの隣り合うチューブ間には、それぞれ冷却用のフィン２が複数形成されている。
【００１０】
入口タンク４はコア３の上部に配置され、入口列チューブ１ａの一端と連通されている。また出口タンク６は同じくコア３の上部に配置され、出口列チューブ１ｂの一端と連通されている。入口タンク４と出口タンク６は、中間タンク５に対して等しい間隔で並列に配置されている。
【００１１】
中間タンク５はコア３の下部に配置され、入口列チューブ１ａ及び出口列チューブ１ｂのそれぞれの他端と連通されている。
【００１２】
入口タンク４には、その幅方向における右側の端部に第１熱交換媒体９を供給する入口パイプ７が突出して形成されるともに、幅方向における左側の端部に切り欠き部４ａが形成されている。本実施の形態における切り欠き部４ａは、タンクの厚さ方向に貫通するように断面Ｖ字形状に形成されている。また、切り欠き部４ａは、入口タンク４を幅方向において内部的に分割しないように形成されている。
【００１３】
出口タンク６には、入口タンク４の切り欠き部４ａと対向する位置に第１熱交換媒体９を排出する出口パイプ８が形成されている。出口パイプ８は入口パイプ７と同方向に突出し、切り欠き部４ａ内を通るように配管されている。
【００１４】
図１において、外部から入口パイプ７を通じて供給された第１熱交換媒体９は、入口タンク４に流入した後、入口列チューブ１ａの各チューブ内を流通して中間タンク５に流入する。第１熱交換媒体９は中間タンク５から、さらに出口列チューブ１ｂの各チューブ内を流通して出口タンク６に流入し、出口パイプ８を通じて外部に取り出される。この間、コア３の入口列チューブ１ａ及び出口列チューブ１ｂに対し、第２熱交換媒体１０が図中矢印方向に流通することにより、入口列チューブ１ａ及び出口列チューブ１ｂを流通する第１熱交換媒体９との間で熱交換が行われる。
【００１５】
本実施の形態においては、入口タンク４に形成された切り欠き部４ａを通じて出口パイプ８が取り出されるため、従来例のように入口パイプ又は出口パイプを設けるために、入口タンクや出口タンクの一部を他の部分より著しく高くする必要がなく、ラジエータの全高を低くすることができる。
【００１６】
なお、本実施の形態では、入口タンク４の右側に入口パイプ７を形成し、左側に切り欠き部４ａを形成した例について示したが、入口タンク４の左側に入口パイプ７を形成し、右側に切り欠き部４ａを形成した構成としてもよい。
【００１７】
図２は、実施の形態２に係わるラジエータ２００の概略構成図である。ラジエータ２００において、入口タンク１４、出口タンク６、コア３及び中間タンク５の構成、配置は実施の形態１と同じであるため説明を省略し、実施の形態１との相違点について説明する。
【００１８】
入口タンク１４には、その幅方向における両端部に入口パイプ１７ａ，１７ｂが突出して形成されるとともに、中央部には切り欠き部１４ａが形成されている。本実施の形態における切り欠き部１４ａは、タンクの厚さ方向に貫通するように断面Ｖ字形状に形成されている。また、切り欠き部１４ａは、入口タンク１４を中央部において内部的に分割するように形成されている。
【００１９】
出口タンク６には、入口タンク１４の切り欠き部１４ａと対向する位置に出口パイプ１８が形成されている。出口パイプ１８は入口パイプ１７ａ，１７ｂと同方向に突出し、切り欠き部１４ａ内を通るように配管されている。
【００２０】
図２において、外部から入口パイプ１７ａ，１７ｂを通じて供給された第１熱交換媒体９は、入口タンク１４に流入した後、入口列チューブ１ａの各チューブ内を流通して中間タンク５に流入する。第１熱交換媒体９は中間タンク５から、さらに出口列チューブ１ｂの各チューブ内を流通して出口タンク６に流入し、出口パイプ１８を通じて外部に取り出される。この間、コア３の入口列チューブ１ａ及び出口列チューブ１ｂに対し、第２熱交換媒体１０が図中矢印方向に流通することにより、入口列チューブ１ａ及び出口列チューブ１ｂを流通する第１熱交換媒体９との間で熱交換が行われる。
【００２１】
本実施の形態においては、入口タンク１４の中央部に形成された切り欠き部１４ａを通じて出口パイプ１８が取り出されるため、従来例のように入口パイプ又は出口パイプを設けるために、入口タンクや出口タンクの一部を他の部分より著しく高くする必要がなく、ラジエータの全高を低くすることができる。
【００２２】
とくに本実施の形態においては、入口タンク１４の両端部に形成された入口パイプ１７ａ，１７ｂから第１熱交換媒体９が同時に流入するため、入口タンク１４の流路長が短くなり、通水抵抗を低減することができる。したがって、コア３の入口列チューブ１ａ及び出口列チューブ１ｂ内に均等に第１熱交換媒体９を流入させることができる。
【００２３】
図３は、実施の形態３に係わるラジエータ３００の概略構成図である。本実施の形態は、同一構造のラジエータ３００Ａ（第１ラジエータ）及び３００Ｂ（第２ラジエータ）を上下反転して幅方向に結合した、２分割ラジエータを示している。
【００２４】
ラジエータ３００Ａは、コア３の上部に配置された入口タンク４及び出口タンク６と、コア３の下部に配置された中間タンク５とから構成されている。コア３は、実施の形態１と同様に構成されている。入口タンク４はコア３の入口列チューブ１ａの一端と連通され、出口タンク６は出口列チューブ１ｂの一端と連通されている。中間タンク５はコア３の入口列チューブ１ａ及び出口列チューブ１ｂのそれぞれの他端と連通されている。ラジエータ３００Ａの入口タンク４には、その幅方向における左側の端部に第１熱交換媒体９を供給する入口パイプ７が突出して形成されている。
【００２５】
ラジエータ３００Ｂは、コア１３の下部に配置された入口タンク１４及び出口タンク１６と、コア１３の上部に配置された中間タンク１５とから構成されている。コア１３は、コア３と同様に構成され、所定間隔で１列に配置された複数のチューブ１１からなる入口列チューブ１１ａと出口列チューブ１１ｂとを備え、各チューブ間には、それぞれ冷却用のフィン１２が複数形成されている。入口タンク１４は入口列チューブ１１ａの一端と連通され、出口タンク１６は出口列チューブ１１ｂの一端と連通されている。中間タンク１５は入口列チューブ１１ａ及び出口列チューブ１１ｂのそれぞれの他端と連通されている。ラジエータ３００Ｂの入口タンク１４には、その幅方向における右側の端部に第１熱交換媒体９を供給する入口パイプ１７が突出して形成されている。
【００２６】
図３に示すように、ラジエータ３００Ａに対してラジエータ３００Ｂは上下が反転して配置され、溶接により幅方向に結合されている。そして、本体上部に相当する、ラジエータ３００Ａの入口タンク４及び出口タンク６とラジエータ３００Ｂの中間タンク１５との間には第１溝部２１が形成されている。また、本体下部に相当する、ラジエータ３００Ａの中間タンク１５とラジエータ３００Ｂの入口タンク１４及び出口タンク１６との間には第２溝部２２が形成されている。
【００２７】
ラジエータ３００Ａの出口タンク６には、その幅方向の側端部に出口パイプ８が形成されている。出口パイプ８は、出口タンク６の側端部から約９０度曲げられ、第１溝部２１内を通って入口パイプ７と同方向に突出するように配管されている。一方、ラジエータ３００Ｂの出口タンク１６には、その幅方向の側端部に出口パイプ１８が形成されている。出口パイプ１８は、出口タンク１６の側端部から約９０度曲げられ、第２溝部２２内を通って入口パイプ１７と同方向に突出するように配管されている。
【００２８】
本実施の形態においては、ラジエータ３００Ａの出口パイプ８が本体上部に形成された第１溝部２１から取り出され、ラジエータ３００Ｂの出口パイプ１８が本体下部に形成された第２溝部２２から取り出されるため、従来例のように入口パイプ又は出口パイプを設けるために、入口タンクや出口タンクの一部を他の部分より著しく高くする必要がなく、２分割ラジエータの全高を低くすることができる。
【００２９】
なお、本実施の形態では、本体上部に第１溝部２１を形成し、また本体下部に第２溝部２２をそれぞれ形成した例について示したが、ラジエータ３００Ａとラジエータ３００Ｂを溶接する際に、これら溝部と同等形状のくぼみ部を上下に形成する必要がある場合は、このくぼみ部にそれぞれの出口パイプを通すようにしてもよい。
【図面の簡単な説明】
【００３０】
【図１】実施の形態１に係わるラジエータの概略構成図。
【図２】実施の形態２に係わるラジエータの概略構成図。
【図３】実施の形態３に係わるラジエータの概略構成図。
【符号の説明】
【００３１】
１，１１…チューブ
１ａ，１１ａ…入口列チューブ
１ｂ，１１ｂ…出口列チューブ
２，１２…フィン
３，１３…コア
４，１４…入口タンク
５，１５…中間タンク
６，１６…出口タンク
７，１７…入口パイプ
８，１８…出口パイプ
９…第１熱交換媒体
１０…第２熱交換媒体
２１…第１溝部
２２…第２溝部
１００，２００，３００…ラジエータ
【図１】
2005077011.tif 000003
【図２】
2005077011.tif 000004
【図３】
2005077011.tif 000005